(57)【特許請求の範囲】
【請求項１】
可撓性の天面部の一部に開口部が形成された容器本体と、
上記容器本体の天面部にヒンジにより回動可能に結合されて該天面部の一部の上記開口部を覆う蓋と、
上記容器本体の天面部と上記蓋とにおける上記ヒンジ近傍に配設されて、弾性復元力により上記蓋を全開可能とする弾性体と、
上記容器本体の上記ヒンジに対し反対側の上記天面部に連なる部分と上記蓋とに設けられ、該蓋の閉時に互いに係止して該蓋を閉蓋位置に保つ係止機構部とを有し、
上記容器本体の天面部の上記蓋を設けた開口部以外の部分を押圧することによる上記天面部に連なる部分の撓み変形により、上記係止機構部の係止作用が解除可能に構成される容器であって、
上記弾性体は上記容器本体の天面部又は上記蓋のいずれか一方に取り付けられ、上記蓋の閉時に上記容器本体と上記蓋との間で弾性変形し、上記蓋の全開状態で上記容器本体の天面部と上記蓋の他方に当接するように設定され、
上記容器本体の天面部における上記ヒンジまわりに突起状ストッパを形成するとともに、上記蓋における上記ヒンジまわりに係合部を形成し、該蓋の開時に上記係合部を上記ストッパに衝合させることにより、該蓋の該ヒンジまわりでの全開角度を定め、
上記容器本体の天面部には、上記蓋を設けた開口部を囲む位置で、上記天面部の撓み変形が係止機構部へ最も伝わり易い位置に押圧指定部が形成されることを特徴とする容器。
【請求項２】
前記蓋における前記ヒンジまわりの裏面にリブを設け、該蓋の該ヒンジ近傍の裏面に前記弾性体の基端部を嵌合保持する弾性体嵌合凹部を備えるとともに、該蓋の該ヒンジまわりの突片状外縁部を前記係合部とし、該蓋の該係合部近傍の裏面に上記リブに連なる補助リブを設けてなる請求項１記載の容器。
【請求項３】
前記弾性体がゴム状弾性体である請求項１又は２に記載の容器。
【発明の詳細な説明】
【０００１】
【発明の属する技術分野】
本発明は、蓋の開閉構造を改造した容器に関する。
【０００２】
【従来の技術】
例えば、ウエットペーパーを収納する容器には、一般に、容器本体の天面部に開口部が形成され、この開口部を覆う蓋が、上記容器本体にヒンジにて接合して構成されている。更に、蓋は係止機構部を介して容器本体に係止され、この係止機構部が容器本体内を密封する機能も果たしている（第１従来例）。
【０００３】
また、第２従来例としての容器は、実公平５−３５０８５  号公報に記載されており、蓋の後半部を容器の傾斜座面に押し付けることにより、蓋の前半部を起立させ、蓋を開蓋させるようにしたものである。
【０００４】
【発明が解決しようとする課題】
上記第１従来例では、係止機構が密封性も備えているため、開蓋に際しては、一方の手で容器本体を押え、他方の手で蓋を持ち上げなければならず、両方の手を必要とする。然も、蓋が所定の全開角度になるまで、この蓋を持ち続けなければならない。
【０００５】
また、第２従来例においては、蓋の後半部を片手で押し付けることにより、蓋の前半部を起立させて蓋を開くものであるため、蓋の前半部が所定角度になるまで蓋の後半部を押し続けなければならない。
【０００６】
本発明は、片手を用いるだけで、蓋を即座に、しかも所定の全開角度に開けることのできる容器を提供することを目的とする。
【０００７】
【課題を解決するための手段】
請求項１に記載の本発明は、可撓性の天面部の一部に開口部が形成された容器本体と、上記容器本体の天面部にヒンジにより回動可能に結合されて該天面部の一部の上記開口部を覆う蓋と、上記容器本体の天面部と上記蓋とにおける上記ヒンジ近傍に配設されて、弾性復元力により上記蓋を全開可能とする弾性体と、上記容器本体の上記ヒンジに対し反対側の上記天面部に連なる部分と上記蓋とに設けられ、該蓋の閉時に互いに係止して該蓋を閉蓋位置に保つ係止機構部とを有し、上記容器本体の天面部の上記蓋を設けた開口部以外の部分を押圧することによる上記天面部に連なる部分の撓み変形により、上記係止機構部の係止作用が解除可能に構成される容器であって、上記弾性体は上記容器本体の天面部又は上記蓋のいずれか一方に取り付けられ、上記蓋の閉時に上記容器本体と上記蓋との間で弾性変形し、上記蓋の全開状態で上記容器本体の天面部と上記蓋の他方に当接するように設定され、上記容器本体の天面部における上記ヒンジまわりに突起状ストッパを形成するとともに、上記蓋における上記ヒンジまわりに係合部を形成し、該蓋の開時に上記係合部を上記ストッパに衝合させることにより、該蓋の該ヒンジまわりでの全開角度を定め、上記容器本体の天面部には、上記蓋を設けた開口部を囲む位置で、上記天面部の撓み変形が係止機構部へ最も伝わり易い位置に押圧指定部が形成されるようにしたものである。
【００１２】
【発明の実施の形態】
図１は容器を示す斜視図、図２は容器の開蓋状態を示す断面図、図３は容器の閉蓋状態を示す断面図、図４は容器本体と蓋の分離状態を示す模式図、図５は図２の要部拡大図、図６は蓋の凹状変形状態を示す模式図である。
【００１３】
容器１０は、使用目的に応じた液体（例えば水や薬液）を含浸したウエットペーパー等の内容物を収納する容器であり、図１〜図５に示す如く、容器本体１１、蓋１２とを有している。
【００１４】
容器本体１１は、ウエットペーパー等の内容物を収納可能とする箱体１３と、この箱体１３の上縁部に嵌着される中蓋１４とを有する。そして、容器本体１１は、中蓋１４の天面部１４Ａに設けたシールリング１５内に開口部としての透口１６を形成し、この透口１６から、箱体１３内の内容物を取出し可能としている。中蓋１４は、天面部１４Ａ、側面部１４Ｂの全体を可撓性を有するプラスチックにて構成している。
【００１５】
蓋１２は、容器本体１１を構成している中蓋１４の天面部１４Ａにヒンジ２０を介して回動可能に接合され、容器本体１１の透口１６を覆う。
【００１６】
そして、蓋１２は、その内面にインナリング２１、アウタリング２２を備え、蓋１２の閉蓋時に、インナリング２１を中蓋１４のシールリング１５に嵌合させて透口１６を封止可能とし、アウタリング２２を中蓋１４の天面部１４Ａに突き当て可能としている。この透口１６の密封により、容器本体１１の内容物の湿潤状態を保つ。
【００１７】
尚、ヒンジ２０は、蓋１２に設けた一対のヒンジピン２０Ａを、中蓋１４の天面部１４Ａに設けた一対のヒンジ孔２０Ｂに遊嵌して構成された間接接合ヒンジである。本実施例では、蓋１２と中蓋１４を別体とし、両者をヒンジ２０により接合するものとした。但し、蓋１２は、折り曲げ状ヒンジ２０を含んで中蓋１４と一体成形されるものであっても良い。
【００１８】
容器本体１１を構成している中蓋１４の天面部１４Ａと、蓋１２におけるヒンジ２０の近傍には、ゴム状弾性体３０が配設される。ゴム状弾性体３０は、蓋１２の閉蓋時に、中蓋１４と蓋１２との間で弾性変形し、この弾性復元力により蓋１２を全開可能とする。
【００１９】
ゴム状弾性体３０は、一端部と他端部とを直角に交差させて一体化したＬ字状をなし（図５）、一端部を蓋１２の裏面に設けた嵌合凹部３１に嵌着し、他端部を蓋１２の全開状態で中蓋１４の天面部１４Ａに当接するように設定されている。
【００２０】
尚、ゴム状弾性体３０は、ゴム又はエラストマー等（例えばコンバウンドとして信越化学工業ＫＥ９５１Ｕと、加硫剤として同社製Ｃ−８とで合成されるメチルビニル系生ゴム）から構成される。
【００２１】
容器本体１１を構成している中蓋１４におけるシールリング１５のヒンジ２０と反対側の外面には係止凹部４１が設けられ、蓋１２におけるインナリング２１の内面には閉蓋時に上記係止凹部４１に係止する係止凸部４３を備えている。係止凹部４１と係止凸部４３は、係止機構部を形成し、蓋１２の閉蓋時に互いに係止し、ゴム状弾性体３０の弾性復元力に抗して蓋１２を閉蓋位置に保つ。
【００２２】
中蓋１４側の係止凹部４１と蓋１２側の係止凸部４３の係止作用は、容器本体１１を構成している中蓋１４の天面部１４Ａが押圧されることによるシールリング１５の撓み変形により、解除される。即ち、中蓋１４の天面部１４Ａが押圧力Ｆにより押圧されると、天面部１４Ａに連なるシールリング１５が撓み変形を生じ、これによってシールリング１５が箱内方側に反り返り、シールリング１５の係止凹部４１が蓋１２の係止凸部４３から外れるものとなる。
【００２３】
尚、容器本体１１を構成している中蓋１４の天面部１４Ａで、蓋１２が被着される部分の両側には、押圧指定部としてのエンボス５０Ａ、５０Ｂが一体形成されている。エンボス５０Ａ、５０Ｂは、天面部１４Ａの押圧変形をシールリング１５の係止凹部４１に最も伝え易い位置に設けられたものである。
【００２４】
更に、容器１０は、容器本体１１を構成している中蓋１４の天面部１４Ａにおける上記ヒンジ２０まわりに突起状ストッパ５１を形成するとともに、蓋１２における上記ヒンジ２０まわりに係合部５２を形成し、開蓋時に上記係合部５２を上記ストッパ５１に衝合させることにより、蓋１２のヒンジ２０まわりでの全開角度を定める（図２、図５）。
【００２５】
このとき、容器１０にあっては、図４、図５に示す如く、蓋１２におけるヒンジ２０まわりの裏面にリブ５３を設け、蓋１２のヒンジ２０近傍の裏面に前述の弾性体３０のための嵌合凹部３１を備えるとともに、蓋１２のヒンジ２０まわりの突片状外縁部を上記係合部５２とし、蓋１２の該係合部５２近傍の裏面に上記リブ５３に連なる補助リブ５４を設けることとしている。図４、図５に示す如く、蓋１２における該係合部５２の裏面側には、補強リブ５４により画成される凹部５５が形成される。凹部５５は、開蓋時に、中蓋１４のストッパ５１まわりを移動し、蓋１２の係合部５２をそのストッパ５１に衝合するに至らしめる。
【００２６】
従って、容器１０は、以下の如くに用いられる。
蓋１２の閉蓋時には、中蓋１４側の係止凹部４１と蓋１２側の係止凸部４３との係止作用により、蓋１２の閉蓋に伴って弾性変形されたゴム状弾性体３０の弾性復元力に抗し、蓋１２の閉蓋状態が維持される（図３）。
【００２７】
蓋１２の開蓋に際し、中蓋１４のエンボス５０Ａ、５０Ｂを押圧すると、前述の如くにより、中蓋１４側の係止凹部４１と蓋１２側の係止凸部４３との係止作用が解除される。これにより、ゴム状弾性体３０の弾性復元力が蓋１２の内面を押し、この蓋１２を全開まで開蓋する（図２）。蓋１２の全開角度は、蓋１２の係合部５２が中蓋１４のストッパ５１に衝合することにより定められる。
【００２８】
以下、本実施例の作用効果について説明する。
▲１▼ゴム状弾性体３０の弾性復元力が蓋１２に作用した蓋１２の閉蓋状態で、容器本体１１の可撓性の天面部１４Ａが押圧されると、その天面部１４Ａに連なる側面部１４Ｂ等の撓み変形によって、係止機構部（中蓋１４側の係止凹部４１と蓋１２側の係止凸部４３）の係止作用が解除されることから、このとき、ゴム状弾性体３０の弾性復元力により蓋１２が全開し、天面部１４Ａの透口１６が開く。このため、容器１０を床或いは机上等に置き、容器本体１１の天面部１４Ａを片手で押圧するだけで、蓋１２を即座に全開させることができ、その片手で、天面部１４Ａの透口１６から容器本体１１の内容物を取り出すことができる。
【００２９】
▲２▼弾性体３０の弾性復元力により蓋１２が上記▲１▼の如くに全開するとき、蓋１２の係合部５２が容器本体１１のストッパ５１に衝合し、蓋１２の全開角度が所定角度に規制される。
【００３０】
▲３▼蓋１２の閉蓋状態で蓋１２に作用する弾性体３０の弾性復元力は、蓋１２を変形させようとする力となる。即ち、弾性体３０の弾性復元力は、蓋１２のヒンジ２０まわり部分を蓋内方側に押し込む凹状変形（図６）を引き起こそうとする。この凹状変形が起こると、（ａ）  蓋１２が容器本体１１の透口１６に強く押圧されてその弾性復元力による開蓋を不可能とし、或いは（ｂ）  蓋１２の係合部５２が容器本体１１のストッパ５１から離れる方向に反ってしまい、前記▲２▼の蓋１２の係合部５２と容器本体１１のストッパ５１との衝合による蓋全開角度規制作用を損なう。ところが、本発明では、蓋１２の裏面に設けたリブ５３、補強リブ５４が蓋１２の剛性を増し、上述の蓋の凹状変形を防止する結果、上記（ａ）  、（ｂ）  を確実に回避し、蓋１２を即座に、しかも所定の角度に全開させることができる。
【００３１】
以上、本発明の実施例を図面により詳述したが、本発明の具体的な構成はこの実施例に限られるものではなく、本発明の要旨を逸脱しない範囲の設計の変更等があっても本発明に含まれる。例えば、容器本体を箱体１３と中蓋１４とで構成するとき、蓋１２は箱体１３にヒンジを介して接合するものであっても良い。
【００３２】
また、ゴム状弾性体に代わる他の弾性体を用いることもできる。但し、ゴム状弾性体は、板ばね等の金属製でないので腐食せず、このため、容器本体内の内容物に錆が混入することがない。また、ゴム状弾性体の復元力は板ばね等のように過大でないため、蓋を適切な速度で緩やかに開くことができる。
【００３３】
【発明の効果】
以上のように本発明によれば、片手を用いるだけで、蓋を即座に、しかも所定の全開角度に開けることのできる容器を得ることができる。
【図面の簡単な説明】
【図１】図１は容器を示す斜視図である。
【図２】図２は容器の開蓋状態を示す断面図である。
【図３】図３は容器の閉蓋状態を示す断面図である。
【図４】図４は容器本体と蓋の分離状態を示す模式図である。
【図５】図５は図２の要部拡大図である。
【図６】図６は蓋の凹状変形状態を示す模式図である。
【符号の説明】
１０  容器
１１  容器本体
１２  蓋
１４Ａ  天面部
１４Ｂ  側面部
１６  透口（開口部）
２０  ヒンジ
３０  ゴム状弾性体
４１  係止凹部（係止機構部）
４３  係止凸部（係止機構部）
５１  ストッパ
５２  係合部
５３  リブ
５４  補助リブ
【図１】
0003547226.tif 000002
【図２】
0003547226.tif 000003
【図３】
0003547226.tif 000004
【図４】
0003547226.tif 000005
【図５】
0003547226.tif 000006
【図６】
0003547226.tif 000007